(57)【特許請求の範囲】
【請求項１】
所定の遊技部品を含む遊技部材が支持部材に対して着脱可能に構成されると共に、該遊技部品が該支持部材に対して開閉可能に構成された遊技機であって、
前記遊技部材の一端部に取り付けられた軸部材と、
前記支持部材の一端部に取り付けられたヒンジ受け部材と、を備え、
前記ヒンジ受け部材は、
前記遊技部材の軸部材の抜けを防止するストッパー部に対して、水平又は略水平方向に対する移動を許容する第１弾性変形部と、
前記ストッパー部の上下方向に対する移動を許容する第２弾性変形部と、を有し、
前記遊技部材を前記支持部材に水平又は略水平方向から移動させることにより、前記軸部材を前記ヒンジ受け部材に水平又は略水平方向から取り付けられる構成である、ことを特徴とする遊技機。
【請求項２】
所定の遊技部品を含む遊技部材が支持部材に対して着脱可能に構成されると共に、前記遊技部品が前記支持部材に対して開閉可能に構成された遊技機であって、
前記支持部材の一端部に取り付けられた軸部材と、
前記遊技部材の一端部に取り付けられたヒンジ受け部材と、を備え、
前記ヒンジ受け部材は、
前記遊技部材の軸部材の抜けを防止するストッパー部に対して、水平又は略水平方向に対する移動を許容する第１弾性変形部と、
前記ストッパー部の上下方向に対する移動を許容する第２弾性変形部と、を有し、
前記遊技部材を前記支持部材に水平又は略水平方向から移動させることにより、前記ヒンジ受け部材に前記軸部材を水平又は略水平方向から取り付けられる構成である、ことを特徴とする遊技機。
【発明の詳細な説明】
【技術分野】
【０００１】
本発明は、遊技機、例えばパチンコ機を構成する遊技機主部を外枠などに容易に取り付けることができる遊技機に関する。
【背景技術】
【０００２】
遊技機、例えばパチンコ機は、遊技場に取り付ける際に釘が打ち込まれるために一部が木製で構成された外枠を備えている。パチンコ機の入れ替え時には、遊技場のパチンコ島内を構成する個々の取付枠に外枠を嵌め込む。そして、取付枠に対して外枠の上部の内面から上方に向けて釘を数本上部枠板に打ち込み、同様に外枠の下部の内面から下方に向けて釘を数本下部枠板に打ち込んで、外枠をパチンコ島の取付枠に固定する。その後に、外枠に対して、遊技機の本体部分となる遊技機主部を取り付けると、遊技機主部が外枠に対して前方に開閉可能な状態で取り付けられる。
【０００３】
例えば、特許文献１の特開２０００−１５３０４５に「パチンコ機の外枠」が提案されている。この外枠に遊技機主部を取り付ける際には、遊技機主部の下側のヒンジ構造を構成する軸受け孔に、外枠の軸部材を差し込み、次に遊技機主部の上側のヒンジ構造を構成する軸部材を外枠の軸受け孔に差し込む。このとき下側のヒンジ構造を差し込んだ後に遊技機主部の上側を横方向に微妙に傾けて移動して取り付ける。
遊技機主部を取り外す際には、遊技機主部を開錠し、外枠から開放した後に遊技機主部を上方に持ち上げて上下側のヒンジ構造を外す。
【先行技術文献】
【特許文献】
【０００４】
【特許文献１】特開２０００−１５３０４５
【発明の概要】
【発明が解決しようとする課題】
【０００５】
しかし、このような遊技機において入れ替えや点検するときに外枠から遊技機主部を取り付ける際に、遊技機主部が１０〜１５ｋｇ程度の重量があるために、遊技機主部と外枠の軸部材と軸受け孔の位置合わせが困難であるという問題点があった。そこで、遊技機主部を外枠に取り付ける作業時間が長くかかることがあった。
【０００６】
本発明は、上述した問題点等を解決するために創案されたものである。すなわち、本発明の目的は、遊技機主部を外枠に容易にかつ迅速に取り付け、取り外すことができる遊技機を提供することにある。
【課題を解決するための手段】
【０００７】
本発明は、 所定の遊技部品を含む遊技部材が支持部材に対して着脱可能に構成されると共に、該遊技部品が該支持部材に対して開閉可能に構成された遊技機であって、前記遊技部材の一端部に取り付けられた軸部材と、前記支持部材の一端部に取り付けられたヒンジ受け部材と、を備え、前記ヒンジ受け部材は、前記遊技部材の軸部材の抜けを防止するストッパー部に対して、水平又は略水平方向に対する移動を許容する第１弾性変形部と、前記ストッパー部の上下方向に対する移動を許容する第２弾性変形部と、を有し、前記遊技部材を前記支持部材に水平又は略水平方向から移動させることにより、前記軸部材を前記ヒンジ受け部材に水平又は略水平方向から取り付けられる構成である、ことを特徴とする。
【０００８】
または、所定の遊技部品を含む遊技部材が支持部材に対して着脱可能に構成されると共に、前記遊技部品が前記支持部材に対して開閉可能に構成された遊技機であって、前記支持部材の一端部に取り付けられた軸部材と、前記遊技部材の一端部に取り付けられたヒンジ受け部材と、を備え、前記ヒンジ受け部材は、前記遊技部材の軸部材の抜けを防止するストッパー部に対して、水平又は略水平方向に対する移動を許容する第１弾性変形部と、前記ストッパー部の上下方向に対する移動を許容する第２弾性変形部と、を有し、前記遊技部材を前記支持部材に水平又は略水平方向から移動させることにより、前記ヒンジ受け部材に前記軸部材を水平又は略水平方向から取り付けられる構成である。
【発明の効果】
【０００９】
上記構成の発明では、遊技機主部を支持部材に、容易かつ迅速に取り付け、取り外すことができる。
【図面の簡単な説明】
【００１０】
【図１】一実施の形態におけるパチンコ機を示す斜視図である。
【図２】パチンコ機の主要な構成を展開して示す斜視図である。
【図３】パチンコ機の主要な構成を展開して示す斜視図である。
【図４】パチンコ機の構成を示す背面図である。
【図５】遊技機ベースユニットの構成を示す正面図である。
【図６】遊技盤の構成を示す正面図である。
【図７】遊技機ベースユニットの構成を示す背面図である。
【図８】遊技機前面ユニットの構成を示す背面図である。
【図９】裏パックユニットの構成を示す正面図である。
【図１０】裏パックユニットの構成を示す分解斜視図である。
【図１１】実施例１のヒンジ受け部材を示し、（ａ）は平面図、（ｂ）は側面図、（ｃ）は側断面図である。
【図１２】実施例１のヒンジ受け部材内の抜け止め具を示す拡大斜視図であり、（ａ）は抜け止め部を前方に置いた状態、（ｂ）は抜け止め部を後方に置いた状態である。
【図１３】実施例１のヒンジ受け部材に軸部材が取り付けられる動作状態を示す平面図であり、（ａ）はヒンジ受け部材に軸部材を近づける状態、（ｂ）はヒンジ受け部材の開口部から軸部材が進入する状態、（ｃ）は軸部材が軸受け部まで進入した状態である。
【図１４】抜け止め具の抜け止め部と軸受け部との位置関係を示す拡大平面図である。
【図１５】外枠に遊技機主部を取り付ける動作状態を示す斜視図であり、（ａ）は外枠に対して遊技機主部を開放した状態の位置関係でヒンジ受け部材に軸部材を近づける状態、（ｂ）はヒンジ受け部材に軸部材を取り付けた状態、（ｃ）は外枠に遊技機主部を閉じた状態である。
【図１６】外枠に遊技機主部を取り付ける動作状態を示す一部省略した正面図であり、（ａ）は外枠に対して遊技機主部を開放した状態の位置関係でヒンジ受け部材に軸部材を近づける状態、（ｂ）は遊技機主部下側の軸受け孔に、外枠の軸部材を差し込んだ状態、（ｃ）はヒンジ受け部材に軸部材を取り付ける状態、（ｄ）はヒンジ受け部材に軸部材を取り付け、上側のヒンジ受け部材と下側の軸受け孔に軸部材が完全に取り付けられた状態、（ｅ）は外枠に遊技機主部を閉じた状態である。
【図１７】実施例１のヒンジ受け部材の変形例１を示し、（ａ）は側断面図、（ｂ）は平面図、（ｃ）は側面図である。
【図１８】実施例１のヒンジ受け部材の変形例２を示し、（ａ）は側断面図、（ｂ）は側面図、（ｃ）は部分拡大図である。
【００１１】
以下、本発明の好ましい実施の形態を図面を参照して説明する。
図１は本発明のパチンコ機１０の遊技機主部２１と外枠１１とが嵌合した状態を示す斜視図である。図２及び図３はパチンコ機１０の主要な構成を展開して示す斜視図である。図４はパチンコ機１０の背面図である。なお、図２では便宜上パチンコ機１０の遊技領域内の構成を省略している。
パチンコ機１０は、当該パチンコ機１０の外殻を形成する外枠１１と、この外枠１１に対して前方に回動可能に取り付けられた遊技機主部２１とを有する。本発明は、この外枠１１と遊技機主部２１とが着脱自在に分離する構造になっている。
【００１２】
＜遊技機１０の全体構成＞
外枠１１は、板材１２〜１５を四辺に連結し構成されるものであって矩形枠状をなしている。外枠１１を構成する板材１２〜１５は、左右の板材１２，１３がアルミなどの金属製となっており、上下の板材１４，１５が木製となっている。パチンコ機１０は、外枠１１の上下の板材１４，１５を島設備に取り付け固定することにより、遊技ホールに設置される。
【００１３】
上記のように左右の板材１２，１３を金属製とすると共に上下の板材１４，１５を木製とすることで、島設備への固定を可能としつつ外枠１１の補強を行うことができる。なお、外枠１１の構成は上記のものに限定されることはなく、全ての板材１２〜１５を木製としてもよく、全ての板材１２〜１５を金属製としてもよい。また、板材１２〜１５の全部又は一部を合成樹脂製としてもよい。
【００１４】
外枠１１の左側の板材１２には、その上下の各端部に支持金具１７，１８が取り付けられている。これら支持金具１７，１８に支持させるようにして、図２及び図３に示すように、遊技機主部２１が外枠１１に対して回動可能に取り付けられている。本発明は、これら支持金具１７，１８に遊技機主部２１を着脱自在に取り付ける構造になる。
【００１５】
遊技機主部２１は、図３に示すように、遊技機ベースユニット（本体枠又は内枠）２２と、その遊技機ベースユニット２２の前方に配置される遊技機前面ユニット（前面扉又は前枠）２３と、遊技機ベースユニット２２の後方に配置される裏パックユニット２４とを備えている。遊技機主部２１のうち遊技機ベースユニット２２が外枠１１に対して回動可能に支持されている。詳細には、正面視で左側を回動基端（開閉基端）側とし右側を回動先端（開閉先端）側として遊技機ベースユニット２２が前方へ回動可能（開閉可能）とされている。
【００１６】
遊技機前面ユニット２３には、手前側へ膨出した第１膨出部９５が窓パネル部９１の下方に設けられており、その第１膨出部９５内側には、上方に開口した上皿９５ａが設けられている。上皿９５ａは、第１払出口２３１より払い出された遊技球を一旦貯留し、一列に整列させながら下流側（本実施の形態では右側）へ導くための球受皿である。
【００１７】
第１膨出部９５には、上皿９５ａの下流側に上皿球抜きスイッチ２３２が設けられると共に、上皿９５ａの前方に貸球操作部２３３が配設されている。上皿球抜きスイッチ２３２は、上皿９５ａに貯留された遊技球を排出するために操作されるものである。
【００１８】
貸球操作部２３３には、球貸しボタン２３４と、返却ボタン２３５とが設けられている。球貸しボタン２３４は、カード等（記録媒体）に記録された情報に基づいて貸出球を得るために操作されるものであり、カード等に残額が存在する限りにおいて貸出球が払い出される。返却ボタン２３５は、カードユニットに挿入されたカード等の返却を求める際に操作される。
【００１９】
また、第１膨出部９５の前面側中央部には、球貸しボタン２３４と返却ボタン２３５との間に、遊技者により操作可能なプッシュ式の演出スイッチ２３６が設けられている。演出スイッチ２３６には図示しないランプが内蔵されており、選択操作が有効とされる状況下ではランプが点灯表示され、選択操作が無効とされる状況下ではランプが消灯表示されるようになっている。そして、当該ランプが点灯表示されている状況下で演出スイッチ２３６を操作された場合、後述する図柄表示装置７１の表示モードが変更されるようになっている。
【００２０】
遊技機前面ユニット２３の下部位置には、手前側へ膨出した第２膨出部９６が設けられており、その第２膨出部９６内側には、上方に開口した下皿９６ａが設けられている。下皿９６ａは、第２払出口２３７より払い出された遊技球を一旦貯留するための球受皿である。下皿９６ａには、例えば下皿球抜きスイッチ２３３を操作された場合、上皿９５ａに貯留された遊技球が第２払出口２３７より排出されるようになっている。
【００２１】
第２膨出部９６前面側には、下皿９６ａに貯留された遊技球を下方に排出するための上球抜きスイッチ２３８が設けられている。また、第２膨出部９６の右方には、手前側へ突出するようにして遊技球発射ハンドル８４が設けられている。遊技球発射ハンドル８４は、板材１２の背面側に設けられた遊技球発射機構８０（図５参照）に連結されており、上皿９５ａに貯留された遊技球は、遊技者が遊技球発射ハンドル８４を回転させることにより、遊技盤６１に形成された遊技領域に向けて発射される。
【００２２】
遊技機ベースユニット２２は、図２及び図３に示すように、外枠１１の開口全体を覆う大きさを有しており、その背面側であって回動先端側には施錠装置３１が取り付けられている。施錠装置３１は長尺状の連動杆３２を備えており、当該連動杆３２には上下一対の鉤金具３３が設けられている。外枠１１に対して遊技機ベースユニット２２を閉鎖した際には、鉤金具３３が外枠１１の右側の板材１３に設けられた受け金具３４に係止され、施錠装置３１により施錠状態とされるようになっている。また、遊技機ベースユニット２２にはシリンダ錠３５が設けられており、シリンダ錠３５の操作によって連動杆３２を上方向又は下方向のうち予め定められた方向に移動させると、外枠１１に対する遊技機ベースユニット２２の施錠状態が解除される。
【００２３】
遊技機ベースユニット２２には、図２に示すように、遊技機前面ユニット２３が回動可能に支持されており、正面視で左側を回動基端（開閉基端）側とし右側を回動先端（開閉先端）側として前方へ回動可能（開閉可能）とされている。また、遊技機ベースユニット２２には、図３に示すように、裏パックユニット２４が回動可能に支持されており、正面視で左側を回動基端（開閉基端）側とし右側を回動先端（開閉先端）側として後方へ回動可能（開閉可能）とされている。
【００２４】
次に、遊技機ベースユニット２２、遊技機前面ユニット２３及び裏パックユニット２４のそれぞれについて詳細に説明する。
＜遊技機ベースユニット２２＞
先ず、遊技機ベースユニット２２の構成について詳細に説明する。図５は遊技機ベースユニット２２の正面図である。図６は遊技機ベースユニット２２に搭載された遊技盤６１の正面図である。図７は遊技機ベースユニット２２の背面図である。なお、図５では便宜上パチンコ機１０の遊技領域内の構成を省略している。
【００２５】
遊技機ベースユニット２２は、外形が外枠１１とほぼ同一形状をなす樹脂ベース４１を主体に構成されている。樹脂ベース４１の中央部には略楕円形状の窓孔５１が形成されている。樹脂ベース４１にはその後方から遊技盤６１が着脱可能に取り付けられている。詳細には、樹脂ベース４１の裏面には、図７に示すように、複数（本実施の形態では４箇所）の固定金具５２〜５５が設けられており、これら固定金具５２〜５５によって遊技盤６１は後方へ脱落しないように固定されている。固定金具５２〜５５は手動で回動操作することができ、固定位置（ロック位置）と固定解除位置（アンロック位置）とに切り換えることができるよう構成されている。
【００２６】
遊技盤６１は合板より成り、遊技盤６１の前面に形成された遊技領域が樹脂ベース４１の窓孔５１を通じて遊技機ベースユニット２２の前面側に露出した状態となっている。
【００２７】
ここで、遊技盤６１の構成を図６に基づいて説明する。遊技盤６１には、ルータ加工が施されることによって前後方向に貫通する大小複数の開口部が形成されている。各開口部には一般入賞口６２，可変入賞装置６３，上作動口６４，下作動口６５，スルーゲート６６及び可変表示ユニット６７等がそれぞれ設けられている。このうち、可変入賞装置６３、上作動口６４、下作動口６５及び可変表示ユニット６７は、遊技盤６１の左右方向の中央において上下方向に並べて設けられており、上から可変表示ユニット６７、上作動口６４、下作動口６５及び可変入賞装置６３の順となっている。また、一般入賞口６２は、遊技盤６１の下部において、左側に２個及び右側に２個の合計４個設けられている。ちなみに、遊技盤６１の左側は遊技機前面ユニット２３の回動基端側に相当し、遊技盤６１の右側は遊技機前面ユニット２３の回動先端側に相当する。
【００２８】
一般入賞口６２、可変入賞装置６３、上作動口６４及び下作動口６５に遊技球が入球すると、それが検知スイッチにより検知され、その検知結果に基づいて所定数の賞球の払い出しが実行される。具体的には、一般入賞口６２に一の遊技球が入球すると単位遊技球数として１０個の遊技球が払い出され、可変入賞装置６３に一の遊技球が入球すると単位遊技球数として１５個の遊技球が払い出され、上作動口６４に一の遊技球が入球すると単位遊技球数として３個の遊技球が払い出され、下作動口６５に一の遊技球が入球すると単位遊技球数として４個の遊技球が払い出される。
【００２９】
その他に、遊技盤６１の最下部にはアウト口６８が設けられており、各種入賞口等に入らなかった遊技球はアウト口６８を通って遊技領域から排出される。また、遊技盤６１には、遊技球の落下方向を適宜分散、調整等するために多数の釘６９が植設されていると共に、風車等の各種部材（役物）が配設されている。
【００３０】
可変表示ユニット６７には、いずれかの作動口６４，６５への入賞をトリガとして図柄を可変表示する図柄表示装置７１が設けられている。また、可変表示ユニット６７には、図柄表示装置７１を囲むようにしてセンターフレーム７２が配設されている。センターフレーム７２の上部には、第１特定ランプ部７３及び第２特定ランプ部７４が設けられている。また、センターフレーム７２の上部及び下部にはそれぞれ保留ランプ部７５，７６が設けられている。下側の保留ランプ部７５は、図柄表示装置７１及び第１特定ランプ部７３に対応しており、遊技球が作動口６４，６５を通過した回数は最大４回まで保留され保留ランプ部７５の点灯によってその保留個数が表示されるようになっている。上側の保留ランプ部７６は、第２特定ランプ部７４に対応しており、遊技球がスルーゲート６６を通過した回数は最大４回まで保留され保留ランプ部７６の点灯によってその保留個数が表示されるようになっている。
【００３１】
図柄表示装置７１は、液晶ディスプレイを備えた液晶表示装置として構成されており、後述する表示制御装置により表示内容が制御される。図柄表示装置７１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。なお、図柄表示装置７１は、ＣＲＴ，ドットマトリックス，７セグメント等その他のタイプにより表示画面を構成したものであってもよい。
【００３２】
第１特定ランプ部７３では、作動口６４への入賞をトリガとして所定の順序で発光色の切り替えが行われ、予め定められた色で停止表示された場合には大当たりが発生する。また、第２特定ランプ部７４では、遊技球のスルーゲート６６の通過をトリガとして所定の順序で発光色の切り替えが行われ、予め定められた色で停止表示された場合には下作動口６５に付随する電動役物６５ａが所定時間だけ開放状態となる。
【００３３】
ちなみに、下作動口６５は、開閉手段としての電動役物６５ａが開放状態の場合に入球が可能となり、閉鎖状態の場合に入球が不可となる。なお、これに限定されることはなく、電動役物６５ａが開放状態の場合に入球し易くなり、閉鎖状態の場合に入球しがたくなる構成としてもよい。
【００３４】
可変入賞装置６３は、開閉手段としての開閉扉６３ａが通常は遊技球が入球できない又は入球しがたい閉鎖状態になっており、大当たりの際に遊技球が入球しやすい所定の開放状態に切り換えられるようになっている。可変入賞装置６３の開放態様としては、所定時間（例えば３０秒間）の経過又は所定個数（例えば１０個）の入賞を１ラウンドとして、複数ラウンド（例えば１５ラウンド）を上限として可変入賞装置６３が繰り返し開放されるものが一般的である。
【００３５】
遊技盤６１には、内レール部７７と外レール部７８とが取り付けられており、これら内レール部７７と外レール部７８とにより誘導レールが構成され、遊技球発射機構から発射された遊技球が遊技領域の上部に案内されるようになっている。ちなみに、図５に示すように、樹脂ベース４１の窓孔５１の右上部には返しゴム７９が設けられており、所定以上の勢いで発射された遊技球は返しゴム７９に当たり、遊技領域の中央寄りに跳ね返されるようになっている。この場合、返しゴム７９はその遊技球が当たる面が遊技領域の中央側に向けて傾斜させて形成されているため、遊技領域の中央に向けた遊技球の跳ね返しが良好に行われるようになっている。
【００３６】
遊技球発射機構８０は、図５に示すように、樹脂ベース４１における窓孔５１の下方に取り付けられている。遊技球発射機構８０は、電磁式のソレノイド８１と、発射レール８２と、球送り機構８３とからなり、ソレノイド８１への電気的な信号の入力により当該ソレノイド８１の出力軸が伸縮方向に移動し、球送り機構８３によって発射レール８２上に置かれた遊技球を遊技領域に向けて打ち出す。ソレノイド８１への電気的な信号の入力は、遊技機前面ユニット２３の下部に設けられた遊技球発射ハンドル８４（図１等参照）が操作されることに基づいて発生する。
【００３７】
樹脂ベース４１の前面における回動基端側にはその上端部及び下端部に支持金具４２，４３が取り付けられており、これら支持金具４２，４３に対して遊技機前面ユニット２３が支持されていることで当該遊技機前面ユニット２３が遊技機ベースユニット２２に対して前方に回動可能となっている。また、樹脂ベース４１の前面における回動先端側には、遊技機前面ユニット２３の背面に設けられた鉤金具４４（図２参照）を挿入するための挿入孔４５が上下方向に離間させて複数設けられている。遊技機ベースユニット２２に対して遊技機前面ユニット２３を閉鎖した状態では、遊技機前面ユニット２３の鉤金具４４が挿入孔４５内に入り込み、当該鉤金具４４は上述した施錠装置３１に係止される。これにより、遊技機ベースユニット２２に対して遊技機前面ユニット２３が施錠された状態となる。この施錠状態はシリンダ錠３５の操作によって施錠装置３１の連動杆３２を、外枠１１に対する遊技機ベースユニット２２の解錠を行う場合とは反対側に移動させることで解除される。
【００３８】
＜遊技機前面ユニット２３＞
ここで、遊技機前面ユニット２３の構成について説明する。図８は遊技機前面ユニット２３の背面図である。
遊技機前面ユニット２３は遊技機ベースユニット２２の前面側全体を覆うようにして設けられている。遊技機前面ユニット２３には、図１に示すように、上記遊技領域のほぼ全域を前方から視認することができるようにした略楕円形状の窓パネル部９１が設けられている。窓パネル部９１の周囲には、各種ランプ等の発光手段が設けられている。例えば、窓パネル部９１の周縁に沿ってＬＥＤ等の発光手段を内蔵した環状電飾部９２が設けられている。環状電飾部９２では、大当たり時や所定のリーチ時等における遊技状態の変化に応じて点灯や点滅が行われる。また、環状電飾部９２の中央であってパチンコ機１０の最上部には所定のエラー時に点灯するエラー表示ランプ部９３が設けられている。また、窓パネル部９１の左上方及び右上方には、遊技状態に応じた効果音などが出力されるスピーカ部９４が設けられている。
【００３９】
遊技機前面ユニット２３における窓パネル部９１の下方には、手前側へ膨出した上側膨出部９５と下側膨出部９６とが上下に並設されている。上側膨出部９５内側には上方に開口した上皿９５ａが設けられており、下側膨出部９６内側には同じく上方に開口した下皿９６ａが設けられている。上皿９５ａは、後述する払出装置より払い出された遊技球を一旦貯留し、一列に整列させながら後述する遊技球発射機構側へ導くための機能を有する。また、下皿９６ａは、上皿９５ａ内にて余剰となった遊技球を貯留する機能を有する。なお、下側膨出部９６の右方には、上述した遊技球発射ハンドル８４が設けられている。
【００４０】
遊技機前面ユニット２３の背面における回動基端側（図８の右側）には、その上端部及び下端部に突起軸９７，９８が設けられている。これら突起軸９７，９８は遊技機ベースユニット２２に対する組付機構を構成する。また、遊技機前面ユニット２３の背面における回動先端側（図８の左側）には、上述した鉤金具４４が上下方向に複数並設されている。
【００４１】
また、遊技機前面ユニット２３の背面には、図８に示すように、前面側通路ユニット２７１が取り付けられている。前面側通路ユニット２７１は、合成樹脂により成形されており、上皿９５ａに通じる前扉側上皿通路と、下皿９６ａに通じる前扉側下皿通路とが形成されている。前面側通路ユニット２７１の詳細については後に説明する。
【００４２】
＜遊技機ベースユニット２２の背面構成＞
次に、遊技機ベースユニット２２の背面構成について図７を用いて詳細に説明する。
樹脂ベース４１の背面における回動先端側には既に説明した施錠装置３１が設けられている。また、樹脂ベース４１の中央には上記のとおり遊技盤６１が取り付けられている。
【００４３】
遊技盤６１の中央に配置された可変表示ユニット６７には、図３及び図７に示すように、センターフレーム７２を後方から覆う合成樹脂製のフレームカバー１００が後方に突出させて設けられており、フレームカバー１００に対して後側から上述した図柄表示装置７１が取り付けられていると共に、その図柄表示装置７１を駆動するための表示制御装置１０１が取り付けられている。これら図柄表示装置７１及び表示制御装置１０１は前後方向に重ねて配置され（図柄表示装置７１が前、表示制御装置１０１が後）、さらにその後方に音声ランプ制御装置ユニット１０２が搭載されている。音声ランプ制御装置ユニット１０２は、音声ランプ制御装置１０３と、取付台１０４とを具備する構成となっており、取付台１０４上に音声ランプ制御装置１０３が装着されている。
【００４４】
音声ランプ制御装置１０３は、後述する主制御装置からの指示に従い音声やランプ表示、及び表示制御装置の制御を司る音声ランプ制御基板を具備しており、音声ランプ制御基板が透明樹脂材料等よりなる基板ボックスに収容されて構成されている。
【００４５】
遊技盤６１の背面であって可変表示ユニット６７の下方には、主制御装置ユニット１０５が搭載されている。主制御装置ユニット１０５は、合成樹脂製の取付台１０６を有し、取付台１０６に主制御装置１０７が搭載されている。主制御装置１０７は、遊技の主たる制御を司る機能（主制御回路）と、電源を監視する機能（停電監視回路）とを有する主制御基板を具備しており、当該主制御基板が透明樹脂材料等よりなる基板ボックス１０８に収容されて構成されている。なお、当該基板ボックス１０８には、当該基板ボックスの開放痕跡手段としてカシメ構造や図示しない封印シールが設けられていると共に、取付台１０６に対する主制御装置１０７の離脱痕跡手段としてカシメ構造が設けられている。
【００４６】
遊技盤６１の背面における主制御装置ユニット１０５により覆われた領域には、図示しない集合板ユニットが設けられている。集合板ユニットには、各種入賞口に入賞した遊技球を回収するための遊技球回収機構や、各種入賞口等への遊技球の入賞を検知するための入賞検知センサなどが設けられている。遊技球回収機構にて回収された遊技球は後述する排出通路を介してパチンコ機１０外部に排出される。また、入賞検知センサは主制御装置１０７と電気的に接続されており、遊技球の入賞を検知した場合の検知信号は主制御装置１０７にて入力される。
【００４７】
樹脂ベース４１の背面における回動基端側（図７の右側）には、軸受け金具１１１，１１２，１１３が取り付けられている。軸受け金具１１１〜１１３は上下に離間させて３個設けられている。なお、軸受け金具１１１〜１１３の数は任意であり、２個であってもよく、４個以上であってもよい。これら軸受け金具１１１〜１１３に対して軸支させて遊技機ベースユニット２２には裏パックユニット２４が取り付けられている。裏パックユニット２４により、図５に示すように、可変表示ユニット６７の全部及び主制御装置ユニット１０５の一部が後方から覆われており、裏パックユニット２４を開放させない限り可変表示ユニット６７及び主制御装置ユニット１０５を樹脂ベース４１から取り外すことができないようになっている。
【００４８】
樹脂ベース４１の背面には、図３及び図７に示すように、裏パックユニット２４を遊技機ベースユニット２２に固定するための固定金具１１５が設けられている。固定金具１１５は手動で回動操作することができ、固定位置（ロック位置）と固定解除位置（アンロック位置）とに切り換えることができるよう構成されている。また、図７に示すように、樹脂ベース４１の背面には締結孔部１１６が形成されており、当該締結孔部１１６に対して裏パックユニット２４に設けられた締結具１１７（図９参照）を締結させることによっても裏パックユニット２４が遊技機ベースユニット２２に固定される。
【００４９】
＜裏パックユニット２４＞
次に、裏パックユニット２４の構成について詳細に説明する。図９は裏パックユニット２４の正面図である。図１０は裏パックユニット２４の分解斜視図である。
裏パックユニット２４は、当該裏パックユニット２４の上部及び中央部分を構成する第１裏パックユニット１２１と、当該第１裏パックユニット１２１に連続させて設けられ裏パックユニット２４の下部を構成する第２裏パックユニット１４１とを備えている。第１裏パックユニット１２１にはその下部に開口部１２２が形成されており、第２裏パックユニット１４１の上部は当該開口部１２２の下縁部分を構成している。
【００５０】
第１裏パックユニット１２１と第２裏パックユニット１４１には、図９に示すように、それぞれ軸金具１２３，１３９が設けられており、それら軸金具１２３，１３９はそれぞれ個別に軸受け金具１１１〜１１３に支持されている。これにより、第１裏パックユニット１２１と第２裏パックユニット１４１とは、遊技機ベースユニット２２に対してそれぞれ個別に回動可能となっている。
【００５１】
ここで、上記のとおり、第２裏パックユニット１４１はその上部が第１裏パックユニット１２１の開口部１２２の下縁部分を構成しており、当該下縁部分において、第１裏パックユニット１２１がパチンコ機１０前方となるようにして第１裏パックユニット１２１と第２裏パックユニット１４１とが前後に重なっている。したがって、第１裏パックユニット１２１を遊技機ベースユニット２２に対して閉鎖した状態で第２裏パックユニット１４１を開放させることはできるが、第２裏パックユニット１４１を閉鎖した状態で第１裏パックユニット１２１を開放させることはできない。なお、これに限定されることはなく、開閉の関係が第１裏パックユニット１２１と第２裏パックユニット１４１とで逆であってもよく、第１裏パックユニット１２１と第２裏パックユニット１４１とが相互に干渉することなく開閉可能な構成であってもよい。さらには、第１裏パックユニット１２１と第２裏パックユニット１４１とが一体化され個別に開閉できない構成としてもよい。
【００５２】
次に、第１裏パックユニット１２１の構成について詳細に説明する。
第１裏パックユニット１２１は、裏パック１２４を備えており、当該裏パック１２４に対して、払出機構部１２５が取り付けられている。裏パック１２４は透明性を有する合成樹脂により成形されており、払出機構部１２５などが取り付けられるベース部１２６と、パチンコ機１０後方に突出し略直方体形状をなす保護カバー部１２７とを有する。保護カバー部１２７は左右側面及び上面が閉鎖され且つ下面のみが開放された形状をなし、少なくとも可変表示ユニット６７を囲むのに十分な大きさを有する。
【００５３】
ベース部１２６には、その右上部に外部端子板１３１が設けられている。外部端子板１３１には各種の出力端子が設けられており、これらの出力端子を通じて遊技ホール側の管理制御装置に対して各種信号が出力される。また、ベース部１２６には上述した第１裏パックユニット１２１の軸金具１２３が設けられている。
【００５４】
ベース部１２６には、保護カバー部１２７を迂回するようにして払出機構部１２５が配設されている。払出機構部１２５は、タンク１３２と、タンクレール１３３と、上下通路ユニット１３４とを備えている。タンク１３２は上方に開放されており、裏パック１２４の最上部に設けられている。タンク１３２には遊技ホールの島設備から遊技球が逐次補給される。タンクレール１３３は、タンク１３２の下方において当該タンク１３２に連結されており、下流側に向けて緩やかに傾斜している。当該タンクレール１３３の下流部に連結させて上下通路ユニット１３４が設けられている。上下通路ユニット１３４は上下方向に延びており、その途中位置に払出装置１３５が設けられている。また、上下通路ユニット１３４の下流側には、球受け部、裏パック側通路部、本体側通路部及び前面側通路部が設けられており、前面側通路部は上皿９５ａ及び下皿９６ａに連通されている。
【００５５】
つまり、タンク１３２と、上皿９５ａ及び下皿９６ａの受け皿との間には、タンクレール１３３、上下通路ユニット１３４、球受け部、裏パック側通路部、本体側通路部及び前面側通路部からなる誘導通路部が設けられており、タンク１３２に貯留されている遊技球は当該誘導通路部を通じて上皿９５ａ又は下皿９６ａに払い出される。なお、上下通路ユニット１３４の構成、及びそれよりも下流側の構成については後に詳細に説明する。
【００５６】
払出機構部１２５には、裏パック基板１３６が設置されている。裏パック基板１３６には、例えば交流２４ボルトの主電源が供給され、電源スイッチ１３７の切替操作により電源ＯＮ又は電源ＯＦＦとされるようになっている。
【００５７】
次に、第２裏パックユニット１４１の構成について詳細に説明する。
第２裏パックユニット１４１は、排出通路盤１４２と制御装置集合ユニット１４３とを備えている。排出通路盤１４２は第２裏パックユニット１４１の前側を構成し、制御装置集合ユニット１４３は第２裏パックユニット１４１の後側を構成している。そして、これら排出通路盤１４２と制御装置集合ユニット１４３とが前後に組み付けられて第２裏パックユニット１４１が構成されている。
【００５８】
排出通路盤１４２は、制御装置集合ユニット１４３と対向する面に後方に開放された排出通路１４４が形成されており、当該排出通路１４４の開放部は制御装置集合ユニット１４３によって塞がれている。排出通路１４４は、遊技ホールの島設備等へ遊技球を排出するように形成されており、上述した各種入賞口等から排出通路１４４に導出された遊技球は当該排出通路１４４を通ることでパチンコ機１０外部に排出される。
【００５９】
制御装置集合ユニット１４３は、横長形状をなす取付台１４５を有し、取付台１４５に払出制御装置１４６と電源及び発射制御装置１４７とが搭載されている。これら払出制御装置１４６と電源及び発射制御装置１４７とは、払出制御装置１４６がパチンコ機１０後方となるように前後に重ねて配置されている。
【００６０】
払出制御装置１４６は、基板ボックス１４８内に払出装置１３５を制御する払出制御基板が収容されている。なお、払出制御装置１４６から払出装置１３５への払出指令の信号は上述した裏パック基板１３６により中継される。また、払出制御装置１４６には状態復帰スイッチ１４８ａが設けられている。例えば、払出装置１３５における球詰まり等、払出エラーの発生時において状態復帰スイッチ１４８ａが押されると、球詰まりの解消が図られるようになっている。
【００６１】
電源及び発射制御装置１４７は、基板ボックス１４９内に電源及び発射制御基板が収容されており、当該基板により、各種制御装置等で要する所定の電源が生成されて出力され、さらに遊技者による遊技球発射ハンドル８４の操作に伴う遊技球の打ち出しの制御が行われる。また、電源及び発射制御装置１４７にはＲＡＭ消去スイッチ１４９ａが設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ１４９ａを押しながら電源を投入すると、ＲＡＭデータが初期化されるようになっている。
【実施例１】
【００６２】
＜軸部材２１０１が着脱容易なヒンジ受け部材１７０１＞
図１１は実施例１のヒンジ受け部材１７０１を示し、（ａ）は平面図、（ｂ）は側面図、（ｃ）は側断面図である。図１２はヒンジ受け部材１７０１内の抜け止め具１７０６を示す拡大斜視図であり、（ａ）は抜け止め部１７０８を前方に置いた状態、（ｂ）は抜け止め部１７０８を後方に置いた状態である。図１３はヒンジ受け部材１７０１に軸部材２１０１が取り付けられる動作状態を示す平面図であり、（ａ）はヒンジ受け部材に軸部材を近づける状態、（ｂ）はヒンジ受け部材の開口部から軸部材が進入する状態、（ｃ）は軸部材が軸受け部まで進入した状態である。
実施例１のヒンジ受け部材１７０１は、外枠１１の左上部の上側支持金具１７を構成する部材である。ヒンジ受け部材１７０１は、この図１１の拡大平面図に示すように、例えば金属製の略四角形状の板材をその周囲を下側に曲折した本体１７０２と、この本体１７０２内においてその面方向に可動し、遊技機主部２１側に設けられた軸部材２１０１の抜け止めを行う抜け止め具１７０６とから成る。
【００６３】
このヒンジ受け部材１７０１は、外枠１１を構成する上部の板材１４と左右の板材または金属枠１２とを連結する連結具１２０１に連続して設けられたものである。図示例ではヒンジ受け部材１７０１とこの連結具１２０１とが一体的に構成されている。このヒンジ受け部材１７０１は１０ｋｇから１５ｋｇ程度の重量のある遊技機主部２１を支持し、かつ頻繁に開閉されるもので大きな荷重がかかる箇所である。そこで、強度的に強固な構造が望ましい。勿論ヒンジ受け部材１７０１と外枠１１とが別構成になったものを接続したものでもよい。また、ヒンジ受け部材１７０１の素材は、主に金属であるが、剛性、耐久性の高いものであれば合成樹脂を用いることも可能である。
【００６４】
このヒンジ受け部材１７０１は、図１１（ａ）の平面図に示すように、遊技機主部２１側に設けられた軸部材２１０１が掛け止められるように切り欠いた案内路１７０３が設けられている。この案内路１７０３は、開口部１７０４から最奥の軸受け部１７０５まで約９０度の角度で軸部材２１０１が移動する形状になる。この案内路１７０３の角度であれば、ヒンジ受け部材１７０１から軸部材２１０１が不用意に外れないからである。軸部材２１０１は、この軸受け部１７０５の位置で止められ、回動自在に掛け止められる。
【００６５】
実施例１のヒンジ受け部材１７０１の開口部１７０４は、図１１（ａ）の平面図に示すように、ヒンジ受け部材１７０１の手前側（図示面では下側）が開口部１７０４の奥側（図示面では上側）より左側に引っ込んだ状態になり、段差（Ｌ１）を形成している。この段差（Ｌ１）は遊技機主部２１を外枠１１に取り付ける際に、遊技機主部２１の軸部材２１０１をヒンジ受け部材１７０１に当たるように押し当てるだけで、ヒンジ受け部材１７０１の開口部１７０４の位置を容易に探せるようにするためである。
【００６６】
このヒンジ受け部材１７０１には、図１２の斜視図に示すように、軸部材２１０１が掛け止められた際に、この軸部材２１０１が抜けないように、抜け止め具１７０６が設けられている。この抜け止め具１７０６は、ヒンジ受け部材１７０１の本体１７０２内で一端が回動自在に軸支部１７０７で軸支され、その他端に抜け止め部１７０８が形成された部材である。抜け止め部１７０８は案内路１７０３の開口部１７０４と軸受け部１７０５の間で、軸部材２１０１を通過させ、その通過後は抜け止めとして機能する。
【００６７】
抜け止め具１７０６には、抜け止め部１７０８を元の位置に戻す押圧板ばね部１７０９が設けられている。この押圧板ばね部１７０９の先端は下側に曲折した本体１７０２の壁面に当たるようになっている。また、軸支部１７０７には他端にこの抜け止め部１７０８が押圧板ばね部１７０９の弾性力で、開口部１７０４から飛び出さず、所定の位置に留まるように過回動を防止する過回動防止部１７１０が突設されている。
【００６８】
抜け止め具１７０６は、軸支部１７０７と抜け止め部１７０８とが連結板ばね１７１１で連結されている。これは、軸支部１７０７と抜け止め部１７０８とが同一の部材で構成されていると、遊技機主部２１を外枠１１に取り付ける際に、軸部材２１０１がヒンジ受け部材１７０１の案内路１７０３から抜け止め具１７０６の上面に上方から誤って当たることがある。このときに、抜け止め具１７０６を折損し、または軸支部１７０７を破損するおそれがある。そこで、誤って軸部材２１０１が抜け止め具１７０６の抜け止め部１７０８の上面から当たっても、この連結板ばね１７１１が撓ることにより、抜け止め具１７０６を折損し、または軸支部１７０７を破損することがない。また、この連結板ばね１７１１は、軸部材２１０１がヒンジ受け部材１７０１の案内路１７０３を通過する際に軸部材２１０１からの押圧荷重を緩和する作用がある。
【００６９】
なお、反発作用がある部材であれば、連結板ばね１７１１に代えてコイルばねその他の弾性部材でもよい。但し、この抜け止め部１７０８は、軸部材２１０１が抜けないようにする機能を第１の目的とするものであるから、この軸部材２１０１が抜け止め部１７０８側（図１１（ａ））の図示面での上方側へ掛かる荷重では容易に撓らない程度の剛性は必要である。
【００７０】
図１４は抜け止め具１７０６の抜け止め部１７０８と、軸受け部１７０５との位置関係を示す拡大平面図である。
抜け止め具１７０６の抜け止め部１７０８は、軸部材２１０１が軸受け部１７０５の位置から抜けないようにする部材である。図示面でこの抜け止め具１７０６の軸支部１７０７の中心点からこの抜け止め部１７０８までを結ぶ仮想直線ＶＬより図示面で左側に接するように構成した。この位置であれば、軸部材２１０１が抜け止め部１７０８を押圧するように荷重が加わったときに、抜け止め部１７０８は図示面で右方向へ回動するように動作する。しかし、この抜け止め具１７０６は、過回動防止部１７１０部分でそれ以上の回動は阻止される。そこで、軸部材２１０１が奥側（図示面では上側）への荷重が加わったときに、ヒンジ受け部材１７０１から軸部材２１０１が不用意に外れないようになる。
【００７１】
＜ヒンジ受け部材１７０１に軸部材２１０１を取り付ける動作状態＞
図１５は外枠１１に遊技機主部２１を取り付ける動作状態を示す斜視図であり、（ａ）は外枠に対して遊技機主部を開放した状態の位置関係でヒンジ受け部材１７０１に軸部材２１０１を近づける状態、（ｂ）はヒンジ受け部材に軸部材を取り付けた状態、（ｃ）は外枠に遊技機主部を閉じた状態である。図１６は外枠１１に遊技機主部２１を取り付ける動作状態を示す一部省略した正面図であり、（ａ）は外枠に対して遊技機主部を開放した状態の位置関係でヒンジ受け部材１７０１に軸部材２１０１を近づける状態、（ｂ）は遊技機主部の下側の軸受け孔に、外枠の軸部材を差し込んだ状態、（ｃ）はヒンジ受け部材に軸部材を取り付ける状態、（ｄ）はヒンジ受け部材に軸部材を取り付け、上側のヒンジ受け部材と下側の軸受け孔に軸部材が完全に取り付けられた状態、（ｅ）は外枠に遊技機主部を閉じた状態である。
この外枠１１に遊技機主部２１を取り付ける際には、図１５（ａ）と図１６（ａ）、（ｂ）に示すように、遊技機主部２１の下側のヒンジ構造を構成する軸受け孔２１０３に、外枠１１の軸部材１１０１を差し込む。このとき下側のヒンジ構造を差し込んだ後に遊技機主部２１の上側を横方向に微妙に傾けて移動して取り付ける（図１６（ｂ）参照）。
【００７２】
次に、図１５（ｂ）と図１６（ｃ）、（ｄ）に示すように、外枠１１のヒンジ受け部材１７０１に遊技機主部２１の軸部材２１０１を取り付ける。このとき、図１１（ａ）に示すように、ヒンジ受け部材１７０１の手前側（図示面では下側）が開口部１７０４の奥側（図示面では上側）より左側に引っ込んだ状態の段差（Ｌ１）が形成されている。この位置は遊技機主部２１を外枠１１に取り付ける際に、遊技機主部２１の軸部材２１０１をヒンジ受け部材１７０１に押し当てるだけで、ヒンジ受け部材１７０１の開口部１７０４の位置を容易に探せる。そのまま左側へ押し込むことにより、軸部材２１０１をヒンジ受け部材１７０１に迅速に取り付けることができる。
【００７３】
または、軸部材２１０１をヒンジ受け部材１７０１の本体１７０２の丸みのある角部からこの引っ込んだ本体１７０２の壁面を伝わらせながら案内された状態で、開口部１７０４まで移動させる。この開口部１７０４の位置で、遊技機主部２１の軸部材２１０１を左側へ倒すように移動させ、軸部材２１０１が抜け止め具１７０６を通過したら抜けなくなる。これにより、本発明は、外枠１１に対して、遊技機主部２１を押し込み、軸部材２１０１が開口部１７０４に入ったら、手前に引き戻すような動作で組み付けが容易に完了する。
【００７４】
従来の構造の遊技機１０の場合は、下側の軸受け孔２１０３から軸部材１１０１が抜けない程度に遊技機主部２１を持ち上げて、外枠１１上側の軸受け孔２１０３に遊技機主部２１の軸部材２１０１を差し込んでいた。このときに遊技機主部２１を高く持ち上げ過ぎると、下側の軸受け孔２１０３から下側の軸部材１１０１が外れ、最初からやり直していた。逆に持ち上げる高さが低いと、外枠１１上側の軸受け孔に軸部材２１０１を差し込めないといった困難さがあった。本発明ではこのような不具合を解消した。
【００７５】
最後に、図１５（ｃ）と図１６（ｅ）に示すように、外枠１１に遊技機主部２１を閉じた状態にして取り付けが完了する。その後施錠する。
このように、実施例１の本発明では、遊技機主部２１を外枠１１に取り付ける際に、遊技機主部２１の下側の軸受け孔２１０３に下側の軸部材１１０１を下向きに差し込んでから、遊技機主部２１の上側を横方向に移動することにより、遊技機主部２１の軸部材２１０１を外枠１１のヒンジ受け部材１７０１に容易に取り付けることができ、遊技機主部２１を迅速に取り付けることができる。
【００７６】
一方、この遊技機主部２１を外枠１１から取り外す際には、従来の構造の遊技機１０の場合と同様に、図１５（ｃ）と図１６（ｄ）、（ｅ）の状態から、ヒンジ受け部材１７０１に回動自在に取り付けられている上側の軸部材２１０１を上方に持ち上げると、遊技機主部２１の下側が外枠１１から開放される。同時に遊技機主部２１の軸部材２１０１もヒンジ受け部材１７０１から抜き取ることができ、遊技機主部２１を迅速に取り外すことができる。
【００７７】
上述した例では、本発明のヒンジ受け部材１７０１を外枠１１の上側に設けた実施例を説明している。しかし、反対の構成に即ちこのヒンジ受け部材１７０１を外枠１１の下側に設けることも可能である（図示していない）。ヒンジ受け部材１７０１を外枠１１の下側に設けることにより、下側の軸部材１１０１の位置合わせが容易になり、遊技機主部２１を外枠１１に迅速に組み付けることができる。
【００７８】
＜ヒンジ受け部材１７０１の変形例１＞
図１７は実施例１のヒンジ受け部材１７０１の変形例１を示し、（ａ）は側断面図、（ｂ）は平面図、（ｃ）は側面図である。
実施例１のヒンジ受け部材１７０１の抜け止め具１７０６は、軸支部１７０７と抜け止め部１７０８とは連結板ばね１７１１で連結されている。これは、抜け止め具１７０６の上面に軸部材２１０１が上方から誤って当たったときに、抜け止め部１７０８の折損、または軸支部１７０７の破損を防止するためである。そこで、この変形例１では、抜け止め部１７０８と軸支部１７０７とを同一の部材で構成するが、軸支部１７０７において、その周囲に回動すると共に、この回動軸の軸方向に抜け止め部１７０８と共に軸支部１７０７が移動する構成になっている。図示例では、回動軸が図１１で示したものより長く、先端（下端）にフランジ１７１２が設けられ、コイルばね１７１３で抜け止め部１７０８と軸支部１７０７とは常時本体１７０２内に押し上げられるようになっている。
【００７９】
このヒンジ受け部材１７０１の変形例１では、軸部材２１０１が誤って抜け止め具１７０６の抜け止め部１７０８の上面から当たっても、軸支部１７０７が軸方向に移動し得るので、抜け止め部１７０８又は軸支部１７０７に無理な荷重が掛からないようになっている。そこで、抜け止め部１７０８の折損、または軸支部１７０７の破損を防止することができる。なお、軸支部１７０７の移動距離は、押圧板ばね部１７０９と過回動防止部１７１０が本体１７０２の内壁面から外れない程度の短い距離にする。
【００８０】
変形例１の抜け止め具１７０６であっても、ヒンジ受け部材１７０１における軸部材２１０１の抜け止めとしての本来の機能を果たす必要がある。そこで、コイルばね１７１３は抜け止め具１７０６全体を本体１７０２から容易に外れないように下から強固に押し上げるようにする。
【００８１】
＜ヒンジ受け部材１７０１の変形例２＞
図１８は実施例１のヒンジ受け部材の変形例２を示し、（ａ）は側断面図、（ｂ）は側面図、（ｃ）は部分拡大図である。
更に、抜け止め具１７０６の変形例２として、抜け止め部１７０８と軸支部１７０７とを同一の部材で構成するが、この軸支部１７０７の構成を水平方向の回動と共に、逆円錐状に揺動可能な状態にすることで、軸部材２１０１による抜け止め部１７０８の折損、または軸支部１７０７の破損を防止することができる。例えば、図１８（ｃ）に示すように、軸支部１７０７における抜け止め具１７０６の軸孔を、単純に円筒形状にするのではなく、ドーナッツの穴のように縦断面が半円形に向かい合った形状にする。このような軸孔の形状であれば、逆円錐状に揺動可能な状態になる。回動軸の先端（下端）にフランジ１７１２が設けられ、コイルばね１７１３で抜け止め部１７０８と軸支部１７０７とは常時本体１７０２内に押し上げられるようになっている。
【００８２】
この変形例２のヒンジ受け部材１７０１でも、軸部材２１０１が誤って抜け止め具１７０６の抜け止め部１７０８の上面から当たっても、軸支部１７０７が軸部分で首振り状態になるので、抜け止め部１７０８又は軸支部１７０７に無理な荷重が掛からず、抜け止め部１７０８の折損、または軸支部１７０７の破損を防止することができる。
【００８３】
なお、上述した実施の形態の記載内容に限定されず、例えば次のように実施してもよい。
（１）上記実施の形態では、残存遊技球数が２９個となるように、上下通路ユニット１３４において切換片から払出装置１３５の回転体までの通路長を設定したが、残存遊技球数は２９個に限定されることはなく、単位遊技球数のいずれの整数倍とも一致しない数であれば具体的な数は任意である。例えば、上記実施の形態における単位遊技球数の設定において、残存遊技球数を１７個、１９個、２３個等としてもよい。
【００８４】
（２）入賞口６２〜６５に対する単位遊技球数の設定は、上記実施の形態のものに限定されることはなく、任意である。但し、単位遊技球数の設定を変更した場合には、それら単位遊技球数のいずれの整数倍とも一致しないように残存遊技球数を変更する必要がある。ちなみに、可変入賞装置６３に対する単位遊技球数を１５個に代えて、１４個としてもよい。当該構成であっても、残存遊技球数を２９個とすることで、上記実施の形態と同様の効果を得ることができる。
【００８５】
（３）上記実施の形態では、単位遊技球数が異なる入賞口の種類を４種類としたが、これに限定されることはなく、１種類、２種類、３種類又は５種類以上であってもよい。この場合であっても、残存遊技球数を単位遊技球数のいずれの整数倍とも一致しないようにすることで、上記実施の形態と同様の効果を得ることができる。
【００８６】
（４）上記実施の形態では、図柄表示装置７１を備えたパチンコ機１０に対して本発明を適用したが、それ以外のタイプのパチンコ機に適用してもよい。例えば、遊技球転動部や有利口などが設けられた入賞役物装置を備えたパチンコ機や、他の役物を備えたパチンコ機、アレンジボール機、雀球等の遊技機にも、本発明を適用できる。また、受け皿として上皿９５ａ及び下皿９６ａが設けられているのではなく、単一の受け皿が設けられたパチンコ機にも、本発明を適用できる。
【００８７】
以下、上述した実施の形態から抽出される発明群の特徴について、必要に応じて効果等を示しつつ説明する。
遊技機Ａ
遊技機、例えばパチンコ機は、遊技場に取り付ける際に釘が打ち込まれるために一部が木製で構成された外枠を備えている。パチンコ機の入れ替え時には、遊技場のパチンコ島内を構成する個々の取付枠に外枠を嵌め込む。そして、取付枠に対して外枠の上部の内面から上方に向けて釘を数本上部枠板に打ち込み、同様に外枠の下部の内面から下方に向けて釘を数本下部枠板に打ち込んで、外枠をパチンコ島の取付枠に固定する。その後に、外枠に対して、遊技機の本体部分となる遊技機主部を取り付けると、遊技機主部が外枠に対して前方に開閉可能な状態で取り付けられる。
【００８８】
例えば、特許文献２の特開２０００−１５３０４５に「パチンコ機の外枠」が提案されている。この外枠に遊技機主部を取り付ける際には、遊技機主部の下側のヒンジ構造を構成する軸受け孔に、外枠の軸部材を差し込み、次に遊技機主部の上側のヒンジ構造を構成する軸部材を外枠の軸受け孔に差し込む。このとき下側のヒンジ構造を差し込んだ後に遊技機主部の上側を横方向に微妙に傾けて移動して取り付ける。
遊技機主部を取り外す際には、遊技機主部を開錠し、外枠から開放した後に遊技機主部を上方に持ち上げて上下側のヒンジ構造を外す。
【００８９】
【特許文献２】特開２０００−１５３０４５
【００９０】
しかし、このような遊技機において入れ替えや点検するときに外枠から遊技機主部を取り外す際に、遊技機主部が１０〜１５ｋｇ程度の重量があるために、遊技機主部と外枠の軸部材と軸受け孔の位置を合わせが困難であるという問題点があった。そこで、遊技機主部を外枠に取り付ける作業時間が長くかかることがあった。
【００９１】
本発明は、上述した問題点等を解決するために創案されたものである。すなわち、本発明の目的は、遊技機主部を外枠に容易にかつ迅速に取り付け、取り外すことができる遊技機を提供することにある。
【００９２】
遊技機Ａ１は、所定の遊技部品を含む遊技部材が支持部材に対して着脱可能に構成されると共に、該遊技部品が該支持部材に対して開閉可能に構成された遊技機であって、
前記遊技部材の一端部に取り付けられた軸部材と、
前記支持部材の一端部に取り付けられた、前記遊技部材の軸部材の抜けを防止するストッパー部に対して、水平又は略水平方向に対する移動を許容する弾性変形部を備えたヒンジ受け部材と、を有し、
前記遊技部材を前記支持部材に水平又は略水平方向から移動させることにより、前記軸部材を前記ヒンジ受け部材に水平又は略水平方向から取り付けられる構成である、ことを特徴とする遊技機。
【００９３】
遊技機Ａ１では、遊技部材を支持部材に取り付ける際に、遊技部材の下側を下向きに差し込んでから、遊技部材上側を横方向に移動することにより、遊技部材の軸部材を支持部材のヒンジ受け部材に容易に取り付けることができ、遊技部材を迅速に取り付けることができ、軸部材がストッパー部から抜けない。
一方、支持部材から遊技部材を取り外す際は、ヒンジ受け部材に回動自在に取り付けられている軸部材を上方に持ち上げると、遊技部材の下側が支持部材から開放され、同時に支持部材上側のヒンジ受け部材から軸部材を抜き取ることができ、遊技部材を迅速に取り外すことができる。
【００９４】
遊技機Ａ２は、所定の遊技部品を含む遊技部材が支持部材に対して着脱可能に構成されると共に、前記遊技部品が前記支持部材に対して開閉可能に構成された遊技機であって、
前記支持部材の一端部に取り付けられた軸部材と、
前記遊技部材の一端部に取り付けられた、該遊技部材の軸部材の抜けを防止するストッパー部に対して、水平又は略水平方向に対する移動を許容する弾性変形部を備えたヒンジ受け部材と、を有し、
前記遊技部材を前記支持部材に水平又は略水平方向から移動させることにより、前記ヒンジ受け部材に前記軸部材を水平又は略水平方向から取り付けられる構成である、ことを特徴とする遊技機。
【００９５】
遊技機Ａ２では、軸部材とヒンジ受け部材とを上下逆に配置したときも、略同様な手順で遊技部材を支持部材に容易にかつ迅速に取り付け、取り外すことができる。
【００９６】
遊技機Ａ３は、前記ヒンジ受け部材は、前記ストッパー部の抜けを防止する方向に付勢する押圧部を更に備えている、ことを特徴とする遊技機Ａ１又はＡ２の遊技機。
【００９７】
遊技機Ａ３では、着脱容易なヒンジ受け部材であるが、遊技機主部を開放しているときは、軸部材に大きな荷重が前方側にかかる。そこで、ヒンジ受け部材内でストッパー部を押圧部により、該軸部材の抜けを防止する方向に付勢し、その荷重に耐えられる。
【００９８】
遊技機Ａ４は、前記ヒンジ受け部材は、前記ストッパー部の上下方向に対する移動を許容する弾性変形部を更に備えている、ことを特徴とする遊技機Ａ１又はＡ２の遊技機。
【００９９】
遊技機Ａ４では、ヒンジ受け部材のストッパー部に軸部材が上方から押圧するように当たることがある。そこで、このストッパー部を回動自在に支持する支持部との間とを弾性部材で連結することにより、ストッパー部に軸部材が上から当たった時にもこのストッパー部（抜け止め具）の破損を防止できる。
【０１００】
遊技機１０、Ａ１〜Ａ４のいずれかにおいて、前記遊技機はパチンコ遊技機であることを特徴とする遊技機である。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードヘ書き込まれるデータ等も含む）が付与されるものが挙げられる。
【０１０１】
遊技機１０、Ａ１〜Ａ４のいずれかにおいて、前記遊技機はスロットマシンであることを特徴とする遊技機である。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１０２】
遊技機１０、Ａ１〜Ａ４のいずれかにおいて、前記遊技機はパチンコ遊技機とスロットマシンとを融合させたものであることを特徴とする遊技機である。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手投（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【産業上の利用可能性】
【０１０３】
本発明の遊技機は、主にパチンコ機の遊技機に利用することができるが、外枠等の枠状部材を有する構成の遊技機であれば、パチンコ機以外の様々な遊技機に利用することができる。
【符号の説明】
【０１０４】
１０  遊技機としてのパチンコ機
１１  外枠
１７  上側支持金具
１７０１  ヒンジ受け部材
１７０６  抜け止め具
１７０５  軸受け部
１７０８  抜け止め部
１７０９  押圧板ばね部
１７１１  連結板ばね
２１０１  軸部材
２３  遊技機前面体としての遊技機前面ユニット
３４  受け金具
６１  遊技盤
６２  開放入球部としての一般入賞口
６３  開閉入球部としての可変入賞装置
６３ａ  開閉手段としての開閉扉
６４  開放入球部としての上作動口
６５  開閉入球部としての下作動口
６５ａ  開閉手段としての電動役物
７１  図柄表示装置
８０  遊技球発射機構
８４  遊技球発射ハンドル
９１  窓パネル部
９５  第１膨出部
９５ａ  外側貯留部としての上皿
９５ｂ  貯留部
９５ｃ  ねじボス
９５ｄ  周縁
９５ｅ  反し部
９６ａ  外側貯留部としての下皿
１０３  音声ランプ制御装置
１０７  主制御装置
１３２  内側貯留部としてのタンク
１３５  払出装置
１４６  払出制御装置
【図１】
0005924473.tif 000002
【図２】
0005924473.tif 000003
【図３】
0005924473.tif 000004
【図４】
0005924473.tif 000005
【図５】
0005924473.tif 000006
【図６】
0005924473.tif 000007
【図７】
0005924473.tif 000008
【図８】
0005924473.tif 000009
【図９】
0005924473.tif 000010
【図１０】
0005924473.tif 000011
【図１１】
0005924473.tif 000012
【図１２】
0005924473.tif 000013
【図１３】
0005924473.tif 000014
【図１４】
0005924473.tif 000015
【図１５】
0005924473.tif 000016
【図１６】
0005924473.tif 000017
【図１７】
0005924473.tif 000018
【図１８】
0005924473.tif 000019